(57)【特許請求の範囲】
【請求項１】
基板に山状の屈曲部を複数有する吊筋を複数平行に配設し、前記吊筋の各屈曲部の頂部下側にトラスの上端筋を固着し、前記トラスの下端筋は前記基板の上方に位置させ、前記吊筋の屈曲部間にボイドを配設し、
前記隣接するトラスの上端筋間に前記ボイドの下側を保持する下側保持部材を配設し、前記隣接するトラスの上端筋と下端筋との間に前記ボイドの上側を保持する上側保持部材を配設し、この上側保持部材の一端を前記隣接する一方のトラスの上端筋に係止し他端を他方のトラスの下端筋に係止させた、
ボイド保持装置
【請求項２】
上側保持部材は、隣接する一方のトラスの上端筋と他方のトラスの下端筋との間に配設する第一の上側保持部材と、隣接する一方のトラスの下端筋と他方のトラスの上端筋との間に配設する第二の上側保持部材とを組合せて配設した、請求項１記載のボイド保持装置
【請求項３】
上側保持部材はバネ鋼とし、上端筋及び下端筋に弾性的に係止した、請求項１又は２に記載のボイド保持装置
【発明の詳細な説明】
【０００１】
【産業上の利用分野】
この発明は、コンクリートスラブを軽量化するために床構造材に取り付けるボイドの位置を保持するための装置に関するものである。
【０００２】
【従来の技術】
従来コンクリートスラブの軽量化や配線等のために床構造材にボイドを取り付ける場合、ボイドを線材や番線などで締結して固定している。
係る問題点を解消するものとして、先に出願人はボイドを断面楕円形として上下寸法を可及的に大きくとり、配力下端筋と配力上端筋とで上下を押さえてボイドの浮き上がりを防止するようにしたものを提案した（特願２００１−２１４６７６）。
しかしながら、上記発明の実効を得るためにはボイドの寸法が制約されるため、ボイドの位置を保持するための簡易な補助手段が望まれていた。
【０００３】
【発明が解決しようとする課題】
この発明は、ボイドの寸法にかかわりなく、ボイドの浮き上がりを防止し、所定の位置に保持する簡易な手段を提供することを課題とするものである。
【０００４】
【課題を解決するための手段】
この発明は、基板に山状の屈曲部を複数有する吊筋を複数平行に配設し、前記吊筋の各屈曲部の頂部下側にトラスの上端筋を固着し、前記トラスの下端筋は前記基板の上方に位置させ、前記吊筋の屈曲部間にボイドを配設した床構造材において、前記ボイドの位置を保持するために、前記隣接するトラスの上端筋間に前記ボイドの下側を保持する下側保持部材を配設し、前記隣接するトラスの上端筋と下端筋との間に前記ボイドの上側を保持する上側保持部材を配設し、この上側保持部材の一端を前記隣接する一方のトラスの上端筋に係止し他端を他方のトラスの下端筋に係止させてボイド保持装置を構成したものである。
前記上側保持部材は、ボイドを挟んで隣接する一方のトラスの上端筋と他方のトラスの下端筋との間に配設する第一の上側保持部材と、ボイドを挟んで隣接する一方のトラスの下端筋と他方のトラスの上端筋との間に配設する第二の上側保持部材とを組合せて配設することが好ましい（請求項２）。
そして、前記上側保持部材はバネ鋼とし、上端筋及び下端筋に弾性的に係止させるようにすると施工が容易である（請求項３）。尤も、上下の保持部材の材質は金属のほか合成樹脂とすることもできる。
前記ボイドは、スラブの軽量化目的の場合は断面楕円形の発泡スチロールが好ましいが、形状、材質に制約はなく、鋼管を用いることもできる。
【０００５】
【作用】
この発明において、ボイドの下側は下側保持部材によって保持され、ボイドの上側は上側保持部材によって保持されるので、ボイドは上下の保持部材によって挟み込まれ、コンクリート打設時に浮き上がることがない。
特に、請求項の発明においては第一の上側保持部材によってボイドの上側一側が保持され、第二の上側保持部材によってボイドの上側他側が保持されることとなり、ボイドの横方向の移動も阻止される。
また、上下の保持部材を上端筋又は下端筋に係止させて取り付けるものとすれば、取り付けが容易であり作業性が向上する。
【０００６】
【発明の実施の形態】
図において、鉄板１の上面に吊筋２が複数等間隔かつ平行に配設してある。この吊筋２には山状の屈曲部３が複数等間隔で形成してあり、この屈曲部３の各頂部３ａの下側に前記吊筋２と直角に配設されたトラス４の上端筋５が固着してある。このトラス４は、上端筋５とラチス筋６、下端筋７で構成してあり、前記下端筋７は前記鉄板１の上方に位置しコンクリートの被りが得られるようにしてある。
図中符号８は前記トラスの上端筋５の上側に配設される配力上端筋、９はトラスの下端筋７の上側に配設される配力下端筋であり、配力下端筋９はボイド配設前に、配力上端筋８はボイドの配設後にそれぞれ配設する。
【０００７】
前記吊筋２の屈曲部３の間に、ボイド１０が配設してある。このボイド１０は縦長の断面楕円形であり発泡スチロール製としてある。前記ボイド１０は下側保持部材１１、第一の上側保持部材１２、第二の上側保持部材１３によって保持されている。
図１においては、左側から下側保持部材１１、第一の上側保持部材、第二の上側保持部材の順で配置してあるが、その順序は問わない。
【０００８】
前記下側保持部材１１は線材であって、図２に示すように、トラス４の上端筋５の上側に係止する頂部１１ａとボイド１０の下側を保持する低部１１ｂを有し、前記頂部１１ａを上端筋５に係止させることによってトラスに取り付けられている。
前記低部１１ｂは、前記ボイド１０の下端部及び下部両側面に沿って湾曲しており、ボイド１０の下端部及び下部両側を保持し得るようにしてある。
【０００９】
前記第一の上側保持部材１２はバネ鋼製であって、図３における左側のトラス４ａの上端筋５ａと、これに隣接するトラス４ｂの下端筋７ｂとの間に配設してある。この第一の上側保持部材１２の一端には前記上端筋５ａの下側に係止する鉤状の係止部１２ａが、他端には前記下端筋７ｂの下側に係止する鉤状の係止部１２ｂが形成してあり、中間部１２ｃはボイド１０の上端部及び上部一側（トラス４ｂ側）に沿って湾曲し、ボイド１０の上端部及び上部一側を保持し得るようにしてある。
【００１０】
前記第二の上側保持部材１３もバネ鋼製であって、前記第一の上側保持部材とは逆に、図４における左側のトラス４ａの下端筋７ａと、これに隣接するトラス４ｂの上端筋５ｂとの間に配設してある。この第二の上側保持部材１３の一端には前記下端筋７ａの下側に係止する鉤状の係止部１３ａが、他端には前記上端筋５ｂの下側に係止する鉤状の係止部１３ｂが形成してあり、中間部１３ｃはボイド１０の上端部及び上部一側（トラス４ａ側）に沿って湾曲し、ボイド１０の上端部及び上部一側を保持し得るようにしてある。
なお、前記第一、第二の上側保持部材は同一の部材であって、取り付け方向を反対にしたものである
【００１１】
この実施形態のボイド保持装置を施工する場合、まず下側保持部材１１を所定の位置に配設する。この配設作業は、トラス４の上方から下側保持部材１１を落としこみ、頂部１１ａを上端筋５に係止させればよい。
次いで、前記下側保持部材１１の低部１１ｂにボイド１０を載せる。
その後第一、第二の上側保持部材１２、１３の係止部を所定の上端筋及び下端筋に係止させる。ここで、第一１、第二の上側保持部材はバネ鋼であるから、始めにその一端を下端筋に係止した後、他端を上端筋に係止させる手順をとることにより、容易に取り付けることができる。また、バネ鋼であるから予め中間部を湾曲に成形しておかなくとも、両端を係止させることにより中間部は自然とボイドの周面に沿って変形する。
【００１２】
上記実施形態によれば、ボイドの下部は下部保持部材によって保持され、ボイドの上部は上部保持部材によって保持されるので、ボイドの上下は両保持部材によって固定され、その浮き上がりは阻止される。
加えて、下部保持部材はボイドの下面に沿って湾曲させ、上部保持部材はボイドの上部一側を保持する第一の上部保持部材と、ボイドの上部他側を保持する第二の上部保持部材とで構成したので、ボイドは下部においては下端部と下部両側が下部保持部材によって保持され、上部においては上端部と上部両側が上部保持部材によって保持されることとなり、結局ボイドはほぼ全周に亘って保持部材によって保持されるので、浮き上がりのみならず横位置の移動も阻止される。
したがって、コンクリート打設時におけるボイドの移動は可及的に防止され、ボイドの設計通りの配置が可能となる。
【００１３】
なお、この発明において、下部保持部材の形状は実施形態に示すものの他、例えばボイドの下端と両側上下中間部を保持する方形枠状のものとしたり、下部両側のみを保持するＶ字状のものとすることも可能である（図５）。
また、上側保持部材も１本でボイドの上部両側を保持できるように中間部を逆Ｕ字状とすることも可能である。
【００１４】
【発明の効果】
この発明によれば、ボイドの上下を保持部材で保持してボイドを固定することができるので、コンクリート打設時におけるボイドの浮き上がり等を防止することができる。そして、上下の保持部材はいずれもトラスに係止して取り付けるものであるから、取り付け作業が容易であり、作業性も向上する。
【図面の簡単な説明】
【図１】  この発明の実施形態１の正面図である。
【図２】  同じく下側保持部材を示す図１のＡ−Ａ断面図である。
【図３】  同じく第一の上側保持部材を示す図１のＢ−Ｂ断面図である。
【図４】  同じく第二の上側保持部材を示す図１のＣ−Ｃ断面図である。
【図５】  保持部材の別の態様を示す図である。
【符号の説明】
１    鉄板
２    吊筋
３    屈曲部
４    トラス
５    上端筋
６    ラチス筋
７    下端筋
８    配力上端筋
９    配力下端筋
１０  ボイド
１１  下側保持部材
１２  第一の上側保持部材
１３  第二の上側保持部材
【図１】
0003689376.tif 000002
【図２】
0003689376.tif 000003
【図３】
0003689376.tif 000004
【図４】
0003689376.tif 000005
【図５】
0003689376.tif 000006